(57)【要約】【課題】搬送するシート材のシート幅を反射型の光学センサで検知するシート材搬送装置で、光学センサに対向する位置に配置された搬送ガイドの表面で光が反射して受光部に入射することによって誤検知となることを防止するシート材搬送装置、及びこれを備えた画像読取装置、及び画像形成装置を提供する。【解決手段】画像読取装置が、原稿用紙をフォトセンサ７ａのほうに押さえるように案内する上カバー３１を備え、上カバー３１はガイド奥面１５と、複数のガイドリブ１２とからなり、ガイドリブ１２の先端で原稿用紙Ｐを案内するものであり、上カバー３１は、ガイドリブ１２同士の間のガイド奥面１５が原稿幅検知センサ７のフォトセンサ７ａと対向するように配置されている。そして、上カバー３１のガイド奥面１５が、入射した光の反射光が受光素子１４に向かうことを抑制するシボ加工２１を施されている。【選択図】図４
2009263126.tif 000002
【特許請求の範囲】
【請求項１】
シート材に対して所定の搬送方向に向かう搬送力を付与する搬送力付与手段と、
該シート材の搬送方向に対して直交する方向である幅方向のシート材の長さであるシート幅を検知するシート幅検知センサと、
該シート材を挟んで上記シート幅検知センサに対向する位置に配置され、上記シート材を上記シート幅検知センサのほうに押さえるように案内する搬送ガイドとを有し、
上記シート幅検知センサは、発光部と受光部とを備えた反射型の光学センサを幅方向に複数並べて配置し、該光学センサの検知結果に基づいて上記シート幅を検出するものであり、
上記搬送ガイドは、上記シート幅検知センサと対向するガイド奥面と、該ガイド奥面から該シート幅検知センサに向かって突出した複数のガイドリブとからなって、該ガイドリブの先端によって上記シート材を案内するものであり、上記ガイドリブ同士の間の上記ガイド奥面が上記シート幅検知センサの上記光学センサと対向するように配置されたシート材搬送装置において、
上記ガイドリブ同士の間となる上記搬送ガイドのリブ形状の凹部内の表面が、入射した光の反射方向を規制し、反射光が上記受光部に向かうことを抑制する表面形状であることを特徴とするシート材搬送装置。
【請求項２】
請求項１のシート材搬送装置において、
上記搬送ガイドの上記ガイド奥面の表面が入射した光の反射方向を規制し、反射光が上記受光部に向かうことを抑制する表面形状であることを特徴とするシート材搬送装置。
【請求項３】
請求項２のシート材搬送装置において、
上記表面形状が、入射した光を拡散して反射する拡散反射面であることを特徴とするシート材搬送装置。
【請求項４】
請求項２のシート材搬送装置において、
上記表面形状が、入射した光の反射方向を上記受光部から遠ざかる方向に向けるように、上記シート材の表面に対して傾斜した傾斜面であることを特徴とするシート材搬送装置。
【請求項５】
請求項４のシート材搬送装置において、
上記傾斜面は、上記発光部と受光部とを結んだ直線と対向するように稜線を形成する三角リブ形状の斜面であることを特徴とするシート材搬送装置。
【請求項６】
請求項４のシート材搬送装置において、
上記傾斜面は、二つの上記ガイドリブの間の上記ガイド奥面に複数設けられた三角リブ形状の斜面であることを特徴とするシート材搬送装置。
【請求項７】
請求項１のシート材搬送装置において、
上記表面形状として、上記ガイドリブの側面に、三角リブ形状を縦方向に並べて形成したことを特徴とするシート材搬送装置。
【請求項８】
シート材としての原稿用紙を搬送する原稿搬送手段と、
該原稿搬送手段によって搬送される原稿用紙の原稿画像を読み取る読取手段とを備えた画像読取装置において、
上記原稿搬送手段として、請求項１、２、３、４、５、６または７のシート材搬送装置を用いたことを特徴とする画像読取装置。
【請求項９】
画像読取手段と、
該画像読取手段で読み取った原稿画像に基づいて画像を形成する画像形成手段とを備える画像形成装置において、
該画像読取手段として、請求項８の画像読取装置を備えることを特徴とする画像形成装置。
【発明の詳細な説明】
【技術分野】
【０００１】
本発明は、搬送するシート材の搬送方向に対して直交する方向のシート材の長さであるシート幅を検知するシート材搬送装置、画像読取装置および画像形成装置に関するものである。
【背景技術】
【０００２】
従来、複写機では、画像読取装置で読み取る原稿の原稿サイズを、反射型の光学センサを用いて自動で検知することが行われている（例えば、特許文献１や特許文献２参照）。このように反射型の光学センサを用いる画像読取装置では、発光部と受光部とを備えた反射型の光学センサを複数の所定の箇所に配置している。そして、発光部から照射され原稿の表面で反射した光が受光部で受光されることにより、その光学センサを配置した位置には原稿が存在することを検知し、原稿が存在することを検知した光学センサの位置によって原稿サイズを検出する。
【０００３】
また、画像読取装置としては、原稿を搬送しながら、装置に固定された画像読取手段によって原稿画像を読み取る、所謂、シートスルー方式で画像を読み取ることでができるものがある。シートスルー方式を用いる画像読取装置では、複数の光学センサを、搬送方向に対して直交する方向に並べて配置して、搬送方向に直交する幅方向の原稿サイズを検出する。
以下、図１〜図３を用いて、シートスルー方式の画像読取装置の従来例について説明する。
【０００４】
図１は、画像読取装置３００を備える複写機５００の概略側面図である。
図１に示す複写機５００が備える画像読取装置３００は、原稿載置台１０と、原稿用紙Ｐの幅を検知する原稿幅検知センサ７と、原稿用紙Ｐの前後端を検知して原稿用紙Ｐの長さを検知する原稿長検知センサ８とを備える。また、原稿用紙Ｐの先端を検知して原稿用紙Ｐの読取開始位置を検知するレジストセンサ９と、原稿用紙Ｐを搬送する入口ローラ１、出口ローラ２及び原稿排紙ローラ３と、搬送される原稿用紙Ｐの原稿画像を読み取る読取センサ５とを備える。さらに、読取センサ５に対向する白色板４と、読取センサ５と対向する位置を通過した原稿用紙Ｐの後端を検知する原稿排紙センサ１１とを備えている。画像読取装置３００では、入口ローラ１が回転することで原稿用紙Ｐが搬送方向αに搬送され、原稿用紙Ｐが読取センサ５との対向部を通過するときに原稿画像が読み取られ、出口ローラ２及び原稿排紙ローラ３によって搬送され、原稿排紙トレイ６に排紙される。
図２は、原稿幅検知センサ７が配置された、図１中のＡ−Ａ断面の説明図である。図２に示すように、原稿幅検知センサ７は、下ガイド板３２の下に原稿用紙Ｐの搬送方向に対して直交する原稿幅方向（図２中の矢印β）に各種原稿幅に対応する数だけ配列された複数の反射型のフォトセンサ７ａからなる。
また、図１に示すように画像読取装置３００は、原稿載置台１０の原稿搬送方向の下流端側には、原稿用紙Ｐを入口ローラ１のニップ部に案内する搬送ガイドとしての上カバー３１を備えている。図２に示すように、上カバー３１は、フォトセンサ７ａと対向するガイド奥面１５からフォトセンサ７ａに向かって突出した複数のガイドリブ１２を備える。
【０００５】
図３は、図２中の領域Ｂで示す、一つのフォトセンサ７ａと、それに対向する上カバー３１との説明図であり、図３（ａ）は領域Ｂに原稿用紙Ｐが存在する状態、図３（ｂ）は領域Ｂに原稿用紙Ｐが存在しない状態の説明図である。
フォトセンサ７ａは発光部と受光部とを備えた反射型フォトセンサであり、図３に示すように、フォトセンサ７ａは発光素子１３から発した光が原稿用紙Ｐに反射して、受光素子１４で受光することによって領域Ｂに原稿用紙Ｐが存在することを検知する。すなわち、発光素子１３で光を発したときに受光素子１４で光を受光するか否かによって、原稿用紙Ｐの有無を検知する。
図３中の矢印Ｈは、フォトセンサ７ａの検知可能領域を示しており、図３に示す例では、ガイドリブ１２の先端と下ガイド板３２との間は検知可能領域Ｈよりも狭くなっている。このようにガイドリブ１２を下ガイド板３２に近接させることにより、各種幅の原稿用紙Ｐのカール等を押さえることができ、ジャムの発生を防止することができる。
このように、ガイドリブ１２の先端と下ガイド板３２との間が検知可能領域Ｈよりも狭い構成で、仮にガイドリブ１２の先端がフォトセンサ７ａと対向する位置にあると、原稿用紙Ｐが無い状態であっても、発光素子１３から発した光がガイドリブ１２の先端で反射して受光素子１４に入射して、原稿用紙Ｐが有ると誤検知するおそれがある。このため、図３に示す例では、ガイドリブ１２同士の間のガイド奥面１５とフォトセンサ７ａとが対向するように配置し、検知可能領域Ｈ内のガイドリブ１２の先端で光が反射することに起因する誤検知を防止することができる。
【０００６】
【特許文献１】特開平５−６６４９４号公報
【特許文献２】特開２００３−５０４３４号公報
【発明の開示】
【発明が解決しようとする課題】
【０００７】
しかしながら、フォトセンサ７ａと対向するガイド奥面１５が図３に示すように検知可能領域Ｈ外となっていても、次のような不具合が生じることがあった。すなわち、発光素子１３の光量のバラツキによって、図３（ｂ）に示すように、発光素子１３から発した光が、ガイドリブ１２の側面に当り、ガイドリブ１２同士の間の上カバー３１のリブ形状の凹部内の表面で反射して受光素子１４に入射し、原稿用紙Ｐが無い状態であっても、原稿用紙Ｐがあると誤検知することがあった。
なお、図１〜図３を用いて説明した従来例では、シート材として原稿用紙Ｐを搬送する画像読取装置について説明したが、シート材を搬送し、その搬送方向に直交する幅方向の長さを複数の反射型の光学センサを用いて検知するシート材搬送装置であれば生じ得る不具合である。例えば、画像が形成される記録媒体である転写紙をシート材として搬送する給紙装置で、シート材の幅を検知するものであっても生じ得る。
【０００８】
本発明は以上の問題点に鑑みなされたものであり、その目的は、搬送するシート材のシート幅を反射型の光学センサで検知するシート材搬送装置で、光学センサに対向する位置に配置された搬送ガイドの表面で光が反射して受光部に入射することによって誤検知となることを防止するシート材搬送装置、及びこれを備えた画像読取装置、及び画像形成装置を提供することである。
【課題を解決するための手段】
【０００９】
上記目的を達成するために、請求項１の発明は、シート材に対して所定の搬送方向に向かう搬送力を付与する搬送力付与手段と、該シート材の搬送方向に対して直交する方向である幅方向のシート材の長さであるシート幅を検知するシート幅検知センサと、該シート材を挟んで上記シート幅検知センサに対向する位置に配置され、上記シート材を上記シート幅検知センサのほうに押さえるように案内する搬送ガイドとを有し、上記シート幅検知センサは、発光部と受光部とを備えた反射型の光学センサを幅方向に複数並べて配置し、該光学センサの検知結果に基づいて上記シート幅を検出するものであり、上記搬送ガイドは、上記シート幅検知センサと対向するガイド奥面と、該ガイド奥面から該シート幅検知センサに向かって突出した複数のガイドリブとからなって、該ガイドリブの先端によって上記シート材を案内するものであり、上記ガイドリブ同士の間の上記ガイド奥面が上記シート幅検知センサの上記光学センサと対向するように配置されたシート材搬送装置において、上記ガイドリブ同士の間となる上記搬送ガイドのリブ形状の凹部内の表面が、入射した光の反射方向を規制し、反射光が上記受光部に向かうことを抑制する表面形状であることを特徴とするものである。
また、請求項２の発明は、請求項１のシート材搬送装置において、上記搬送ガイドの上記ガイド奥面の表面が入射した光の反射方向を規制し、反射光が上記受光部に向かうことを抑制する表面形状であることを特徴とするものである。
また、請求項３の発明は、請求項２のシート材搬送装置において、上記表面形状が、入射した光を拡散して反射する拡散反射面であることを特徴とするものである。
また、請求項４の発明は、請求項２のシート材搬送装置において、上記表面形状が、入射した光の反射方向を上記受光部から遠ざかる方向に向けるように、上記シート材の表面に対して傾斜した傾斜面であることを特徴とするものである。
また、請求項５の発明は、請求項４のシート材搬送装置において、上記傾斜面は、上記発光部と受光部とを結んだ直線と対向するように稜線を形成する三角リブ形状の斜面であることを特徴とするものである。
また、請求項６の発明は、請求項４のシート材搬送装置において、上記傾斜面は、二つの上記ガイドリブの間の上記ガイド奥面に複数設けられた三角リブ形状の斜面であることを特徴とするものである。
また、請求項７の発明は、請求項１のシート材搬送装置において、上記表面形状として、上記ガイドリブの側面に、三角リブ形状を縦方向に並べて形成したことを特徴とするものである。
また、請求項８の発明は、シート材としての原稿用紙を搬送する原稿搬送手段と、該原稿搬送手段によって搬送される原稿用紙の原稿画像を読み取る読取手段とを備えた画像読取装置において、上記原稿搬送手段として、請求項１、２、３、４、５、６または７のシート材搬送装置を用いたことを特徴とするものである。
また、請求項９の発明は、画像読取手段と、該画像読取手段で読み取った原稿画像に基づいて画像を形成する画像形成手段とを備える画像形成装置において、該画像読取手段として、請求項８の画像読取装置を備えることを特徴とするものである。
【発明の効果】
【００１０】
請求項１乃至９の発明によれば、入射した光の反射方向を規制し、反射光が上記受光部に向かうことを抑制する表面形状によって、反射光が受光部に向かうことを抑制することができるので、搬送ガイドの凹部内の表面で光が反射して受光部に入射することによって誤検知となることを防止することができるという優れた効果がある。
【発明を実施するための最良の形態】
【００１１】
以下、本発明を画像形成装置である電子写真方式のレーザー複写機（以下、単に「複写機５００」という）の一実施形態について説明する。
図１は複写機５００の断面を示す概略構成図である。図１において、複写機５００は、複写機本体２００、給紙装置１００、及び画像読取装置３００を有する。
複写機本体２００は、作像部２０１，定着部２０２，排紙部２０３を具備しており、画像読取装置３００により読み取られた画像信号が画像処理され、処理された画像信号に基づいて動作するＬＥＤ書込装置２０４により、表面が均一に帯電された感光体２０５上に静電潜像を形成し、この静電潜像を現像部２０６にてトナー現像して顕像化する。
【００１２】
感光体２０５に形成されたトナー像は、転写部２０７において、給紙装置１００から給送され、かつレジストローラ２０８にて作像タイミングとの同期が取られて搬送される記録用紙に対して転写される。トナー像が転写された後の用紙は、分離部２１０により感光体２０５から分離されて搬送ベルト２１１で定着部２０２へ導かれ、定着部２０２において加熱加圧されて定着処理が施される。
【００１３】
前記定着処理後の用紙は、複数の排紙ローラ２１４，２１５からなる排紙部２０３にて、複写機本体２００の上面あるいは複写機本体２００の後方に設けられた排紙トレイ２１２，２１３に排出される。排紙部２０３において、排紙方向は分岐爪２１６の回動により切り替えられる。
【００１４】
給紙装置１００は、上下２段のロール紙トレイ１０１，１０２を有している。このロール紙トレイ１０１，１０２は、複写機５００本体から図における左方向に引き出し可能となっており、トレイを引き出した状態でロール紙のセットやジャム処理を行うように構成されている。ロール紙トレイ１０１，１０２には、それぞれ２つずつロール紙１０３〜１０６をセットすることができる。各ロール紙１０３〜１０６に対する給紙ローラ１１１〜１１４がロール紙近傍に配設されている。
【００１５】
各給紙ローラ１１１〜１１４により送り出された用紙は、図における左側（正面側）のトレイに設けられたロールカッターユニット１１５，１１６により一定の長さに切断され、シート状の記録用紙として搬送ローラ１１７，１１８により複写機本体２００へ搬送される。
【００１６】
なお、上述した説明では、画像読取装置３００で読み取り、その画像情報に基づいて作像する複写機５００の複写機としての機能について説明した。複写機５００は、複写機としての機能のみではなく、パソコンなどの外部の電子機器から入力される画像情報に基づいて作像するプリンタとしての機能も備えている。
【００１７】
次に、本実施形態の画像読取装置３００のについて説明する。図２は、本実施形態の画像読取装置３００の原稿幅検知センサ７が配置された、図１中のＡ−Ａ断面の説明図である。すなわち、図１及び図２を用いて説明する範囲については、本実施形態の画像読取装置３００と、先に述べた本発明が解決する課題が生じる従来の画像読取装置３００とは同様の構成である。
図１に示すように、複写機５００の画像読取装置３００は、スキャナ部５０、原稿載置台１０、及び、原稿排紙トレイ６を備える。スキャナ部５０は、原稿用紙Ｐの原稿面の画像を読み取る読取センサ５、原稿用紙Ｐを読取センサ５との対向部に向けて搬送する入口ローラ１、及び、読取センサ５との対向部を通過した原稿用紙Ｐを搬送する出口ローラ２、さらに、スキャナ部５０から原稿用紙Ｐを排出する原稿排紙ローラ３を備える。読取センサ５は、全体として主走査方向に長い箱形状をしており、原稿を照明する光源およびイメージセンサを有し、搬送路において原稿用紙Ｐを照明し、原稿用紙Ｐからの反射光をレンズアレイなどを通してイメージセンサ上に結像させて、光電変換を行うことにより画像信号を出力する。
また、スキャナ部５０は、原稿用紙Ｐの幅を検知する原稿幅検知センサ７、原稿用紙Ｐの前後端を検知して原稿用紙Ｐの長さを検知する原稿長検知センサ８、原稿用紙Ｐの先端を検知して原稿用紙Ｐの読取開始位置を検知するレジストセンサ９等を備える。また、読取センサ５に対向する位置には白色板４を備え、読取センサ５と対向する位置を通過した原稿用紙Ｐの後端を検知する原稿排紙センサ１１を備えている。
また、画像読取装置３００のスキャナ部５０には、各種モードの設定，動作のスタート指示や、搬送する用紙の情報であるリピートコピー設定や長尺通紙情報を入力するための表示／操作部が設けられている。
【００１８】
次に、画像読取装置３００での原稿画像の読取動作について説明する。
原稿載置台１０では原稿面が下方になるように原稿用紙Ｐがストックされ、入口ローラ１が駆動することにより、原稿載置台１０上の原稿用紙Ｐの最上部の一枚がスキャナ部５０へと挿入される。スキャナ部５０へと挿入された原稿用紙Ｐは、挿入側の用紙搬送手段である入口ローラ１によって搬送され、読取センサ５との対向部を通過する。読取センサ５との対向部を通過する原稿用紙Ｐの原稿面の画像が読取センサ５によって読み取られ、読取センサ５との対向部を通過した原稿用紙Ｐは排出側の用紙搬送手段である出口ローラ２に到達する。出口ローラ２に到達した原稿用紙Ｐは、出口ローラ２及び原稿排紙ローラ３が駆動することによりスキャナ部５０から排出され、原稿排紙トレイ６上にストックされる。
このように、画像読取装置３００は、原稿載置台１０、入口ローラ１、出口ローラ２、原稿排紙ロ―ラ３、原稿排紙トレイ６及び原稿幅検知センサ７等からなり、シート材としての原稿用紙Ｐのシート幅を検知し、搬送するシート材搬送装置を備える。
図２に示すように、原稿幅検知センサ７は、下ガイド板３２の下に原稿用紙Ｐの搬送方向に対して直交する原稿幅方向（図２中の矢印β）に各種原稿幅に対応する数だけ配列された複数のフォトセンサ７ａからなる。フォトセンサ７ａは反射型の光学センサであり、各種の原稿幅に対応する所定の位置に配置されたフォトセンサ７ａは、発光部である発光素子１３及び受光部である受光素子１４を備え（詳細は後述する図４〜図８に記載）、発光素子１３が発光し、受光素子１４が受光することによって所定の位置に原稿用紙Ｐが存在することを検知するものである。そして、原稿幅検知センサ７の原稿用紙Ｐが存在することを検知したフォトセンサ７ａの検知結果に基づいて原稿用紙Ｐの原稿幅を検出する。
また、図１に示すように画像読取装置３００は、原稿載置台１０の原稿搬送方向の下流端側には、原稿用紙Ｐを入口ローラ１のニップ部に案内する搬送ガイドとしての上カバー３１を備えている。図２に示すように、上カバー３１は、フォトセンサ７ａと対向するガイド奥面１５からフォトセンサ７ａに向かって突出した複数のガイドリブ１２を備える。
そして、本実施形態の画像読取装置３００は、ガイドリブ１２同士の間となる上カバー３１のリブ形状の凹部内の表面を、入射した光の反射方向を規制し、反射光が受光素子１４に向かうことを抑制する表面形状としている。
なお、各種幅の原稿用紙Ｐを押さえるためにガイドリブ１２同士の間隔が狭くなっていると、ガイドリブ１２同士の間となる上カバー３１のリブ形状の凹部内に入射する光の入射位置と、凹部内で反射して凹部から出射する出射位置とが狭い範囲内となる。このため、入射位置と出射位置とが一致したり、近い位置となることによって、上カバー３１のリブ形状の凹部の表面に入射した光の反射光が受光素子１４に入射し、誤検知となるおそれがある。
本実施形態の本実施形態の画像読取装置３００は、ガイドリブ１２同士の間となる上カバー３１のリブ形状の凹部内の表面が、入射した光の反射方向を規制し、反射光が受光素子１４に向かうことを抑制する表面形状であるため、上カバー３１のリブ形状の凹部の表面に入射した光の反射光が受光素子１４に向かうことを抑制することができる。
【００１９】
〔実施例１〕
次に、本実施形態の特徴部を備えた一つ目に実施例（以下、実施例１と呼ぶ）について説明する。
図４は、実施例１の画像読取装置３００における図２中の領域Ｂの拡大説明図である。
図４に示すように、実施例１では、上カバー３１に形成したガイドリブ１２同士の間のガイド奥面１５の表面形状として、入射した光を拡散して反射する拡散反射面となるように、ガイド奥面１５にシボ加工２１を施している。
実施例１の画像読取装置３００では、発光素子１３から発した光は、シボ加工２１が成されたガイド奥面１５に当たり光が拡散するため、受光素子１４に向かって戻る光量が低減される。これにより、上カバー３１のリブ形状の凹部の表面に入射した光の反射光が受光素子１４に向かうことを抑制することができる。
【００２０】
〔実施例２〕
次に、本実施形態の特徴部を備えた二つ目に実施例（以下、実施例２と呼ぶ）について説明する。
図５は、実施例２の特徴部の説明図である。図５（ａ）は、実施例２の画像読取装置３００における図２中の領域Ｂの拡大説明図であり、図５（ｂ）は、図５（ａ）中のＣ−Ｃ断面の説明図である。
図５に示すように、実施例２では、上カバー３１に形成したガイドリブ１２同士の間のガイド奥面１５の表面形状として、入射した光の反射方向を受光素子１４から遠ざかる方向に向けるように、下ガイド板３２の表面に対して傾斜した、すなわち、下ガイド板３２上の原稿用紙Ｐの表面に対して傾斜した傾斜面２２を備える。また、図５に示すように、傾斜面２２は、発光素子１３及び受光素子１４の並びと平行な斜面である。発光素子１３から発光した光は、実際には図５（ｂ）の角θで示すように、ある程度の幅がある。実施例２では、光の幅全体を傾斜面２２で受けて反射し方向を変えて、受光素子１４に戻らないようにしている。これにより、上カバー３１のリブ形状の表面に入射した光の反射光が受光素子１４に向かうことを抑制することができる。
【００２１】
〔実施例３〕
次に、本実施形態の特徴部を備えた三つ目に実施例（以下、実施例３と呼ぶ）について説明する。
図６は、実施例３の特徴部の説明図である。
図６に示すように、実施例３は、実施例２の傾斜面２２の代わりに、発光素子１３と受光素子１４とを結んだ直線と平行で、且つ、対向するように稜線を形成する三角リブ２３を備えた構成である。三角リブ２３は、稜線を境に第一傾斜面２４と第二傾斜面２５とを備える。発光素子１３から発光した光は、実際には図６の角θで示すようにある程度の幅がある。実施例３では、光の幅全体を三角リブ２３の第一傾斜面２４及び第二傾斜面２５で受けて反射し方向を変えて、光の半分をそれぞれ前後に振り分けるため受光素子１４から、一層離れた位置に反射方向を変えることができ、受光素子１４に戻らないようにしている。これにより、上カバー３１のリブ形状の表面に入射した光の反射光が受光素子１４に向かうことを抑制することができる。
【００２２】
〔実施例４〕
次に、本実施形態の特徴部を備えた四つ目に実施例（以下、実施例４と呼ぶ）について説明する。
図７は、実施例４の特徴部の説明図である。図７（ａ）は、実施例４の画像読取装置３００における図５（ｂ）や図６と同じ位置の説明図であり、図７（ｂ）は、図７（ａ）のガイド奥面１５近傍の拡大説明図である。
図７に示すように、実施例３は、実施例２の傾斜面２２の代わりに、小三角リブ２６を複数個備える構成である。小三角リブ２６を複数個設けることで、樹脂成形する際のヒケ、歪みなどの加工上の不具合が解消できる。また、図５（ｂ）や図６を用いて説明した角θで示すような光の幅全体を受ける範囲に小三角リブ２６を配置することで、図７（ｂ）に示すように、光の方向を変え受光素子１４に戻らないようにすることができる。これにより、上カバー３１のリブ形状の表面に入射した光の反射光が受光素子１４に向かうことを抑制することができる。
また、図７（ｂ）で示す、隣り合う小三角リブ２６の２つの面が成す角度Ｘを（９０［°］−θ／２）以下とすることで、光が受光素子１４に戻らない様にしている。
【００２３】
〔実施例５〕
次に、本実施形態の特徴部を備えた五つ目に実施例（以下、実施例５と呼ぶ）について説明する。
図８は、実施例５の特徴部の説明図である。図８（ａ）は、実施例５の画像読取装置３００における図２中の領域Ｂの拡大説明図であり、図８（ｂ）は、図８（ａ）中のＤ−Ｄ断面の説明図である。
図８に示すように、実施例５では、上カバー３１に形成したガイドリブ１２の側面の表面形状として、複数の縦三角リブ２７を縦方向に並べて形成している。なお、発光素子１３から発光した光は、実施例２で図５（ｂ）を用いて説明した角θで示すように、ある程度の幅があるため、縦三角リブ２７はガイドリブ１２の側面において、光の幅全体を並べて配置した複数の縦三角リブ２７で反射し、方向を変えている。
特に、実施例５では、発光素子１３から発した光が最初に入射するガイドリブ１２の側面に縦三角リブ２７を設け、反射光の方向を変えているので、光の受光素子１４への戻りを確実に減らすことができる。なお、縦三角リブ２７の断面形状は図示しないが、実施例４の図７（ｂ）と同様の形状である。
【００２４】
本実施形態では、実施例１のシボ加工、実施例２の傾斜面２２、実施例３の三角リブ２３、実施例４の小三角リブ２６、及び、実施例５の縦三角リブ２７といった表面形状は、樹脂からなる上カバー３１を一体成形する際に、表面形状が形成された状態となるように、一体成形で用いる型にあらかじめ加工を施しておくことが望ましい。
図３を用いて説明した不具合の対策としては、図９の様にガイドリブ１２の内側面に黒色のシート材１６を貼りつけて反射を防ぐ方法がある。しかし、リブ間が狭く数量も多いため貼付け作業が非常に困難であり、生産効率の低下に繋がる。一方、表面形状が形成されるように加工を施した型を用いて、上カバー３１を成形することにより、上カバー３１を成形した後の作業は不要であり、入射した光の反射方向を規制し、反射光が上記受光部に向かうことを抑制する表面形状を設けた構成であっても、生産効率の低下が生じることを防止することができる。
【００２５】
なお、上述した実施形態では、画像読取装置３００のシート材搬送装置に本発明を適用した例について説明したが、これに限るものではなく、シート材を搬送し、その搬送方向に直交する幅方向の長さを複数の反射型の光学センサを用いて検知するシート材搬送装置であれば適用可能である。例えば、記録用紙をシート材として搬送する給紙装置１００で、記録用紙の幅を検知するものであれば、適用可能である。
【００２６】
以上、本実施形態によれば、画像読取装置３００が備えるシート材搬送装置は、シート材である原稿用紙Ｐに対して所定の搬送方向に向かう搬送力を付与する搬送力付与手段である入口ローラ１と、原稿用紙Ｐの搬送方向に対して直交する方向である幅方向の原稿用紙Ｐの長さであるシート幅を検知するシート幅検知センサである原稿幅検知センサ７とを有する。原稿幅検知センサ７は、発光部である発光素子１３と受光部である受光素子１４とを備えた複数の反射型のフォトセンサ７ａを幅方向に並べて配置し、フォトセンサ７ａの検知結果に基づいて原稿幅を検出するものである。また、原稿用紙Ｐを挟んで原稿幅検知センサ７に対向する位置に配置され、原稿用紙Ｐを原稿幅検知センサ７のほうに押さえるように案内する搬送ガイドとして機能する上カバー３１を備える。上カバー３１は、原稿幅検知センサ７と対向するガイド奥面１５と、ガイド奥面１５から原稿幅検知センサ７に向かって突出した複数のガイドリブ１２とからなって、ガイドリブ１２の先端によって原稿用紙Ｐを案内するものである。また、上カバー３１は、ガイドリブ１２同士の間のガイド奥面１５が原稿幅検知センサ７のフォトセンサ７ａと対向するように配置されている。そして、ガイドリブ１２同士の間となる上カバー３１のリブ形状の凹部内の表面が、入射した光の反射方向を規制し、反射光が受光素子１４に向かうことを抑制する表面形状となっている。このような表面形状によって、反射光が受光素子１４に向かうことを抑制することができるので、上カバー３１のリブ形状の凹部内の表面で光が反射して受光素子１４に入射することによって誤検知となることを防止することができる。
【００２７】
特に、実施例１の画像読取装置３００が備えるシート材搬送装置では、搬送ガイドである上カバー３１のガイド奥面１５の表面形状として、入射した光を拡散して反射する拡散反射面となるように、ガイド奥面１５にシボ加工２１を施している。フォトセンサ７ａから発光した光がシボ加工２１が施された粗い面に衝突したときに、反射光が拡散するため、任意の方向に向かう反射光の光量が入射光に比べて減衰するため、受光素子１４に入射する光量を抑制することができるので、誤検知となることを防止することができる。
【００２８】
特に、実施例２の画像読取装置３００が備えるシート材搬送装置では、搬送ガイドである上カバー３１のガイド奥面１５の表面形状として、入射した光の反射方向を受光素子１４から遠ざかる方向に向けるように、原稿用紙Ｐの表面に対して傾斜した傾斜面２２を備える。フォトセンサ７ａの発光した光が傾斜面に反射した時、発光素子１３と受光素子１４との並び方向から外れた方向へ反射されるため、受光素子に入射するへ戻る光量を抑制することができるので、誤検知となることを防止することができる。
【００２９】
特に、実施例３の画像読取装置３００が備えるシート材搬送装置では、実施例２の傾斜面２２の代わりに、発光素子１３と受光素子１４とを結んだ直線と平行で、且つ、対向するように稜線を形成する、第一傾斜面２４と第二傾斜面２５とを備えた三角リブ２３を有する構成である。フォトセンサ７ａの発光した光が三角形の両側の傾斜面で反射された時、発光素子１３と受光素子１４との並びラインを中心に反射光が振分けられるので、光が受光素子１４へ戻る確率は一層低減して、誤検知となることを防止することができる。
【００３０】
特に、実施例４の画像読取装置３００が備えるシート材搬送装置では、実施例２の傾斜面２２の代わりに、ガイド奥面１５に複数設けられた三角リブ形状としての、複数個の小三角リブ２６を有する構成である。フォトセンサ７ａの発光した光が傾斜面に反射した時、発光素子１３と受光素子１４との並び方向から外れた方向へ反射されるため、受光素子に入射するへ戻る光量を抑制することができるので、誤検知となることを防止することができる。また、三角リブ形状を小さくすることにより、成形加工性を向上させることができるので、成形性が良く部品加工が容易となる。
【００３１】
また、実施例４では、複数の小三角リブ２６のうち隣り合う２つの小三角リブ２６の互いに隣り合う斜面が形成する角の角度Ｘが、｛９０［°］−（発光した光の指向特性分の角度［°］）｝以下、即ち、角度Ｘ≦｛９０［°］−θ／２［°］｝となっている。
実施例４では、光を反射する小三角リブ２６を複数配置するので、フォトセンサ７ａの発光した光が小三角リブ２６の２面で反射して受光素子１４へ戻る場合があるが、小三角リブ２６の二つの斜面の角度を制限しているので、光の戻りのない光路を形成することができる。
【００３２】
特に、実施例５上カバー３１に形成したガイドリブ１２の側面にの表面形状として、複数の縦三角リブ２７を縦方向に並べて形成している。このため、発光素子１３から発した光が最初に入射するガイドリブ１２の側面に縦三角リブ２７を設け、早い段階で反射光の方向を変えているので、光の受光素子１４への戻りを確実に減らすことができ、より確実に誤検知となることを防止することができる。
【００３３】
また、シート材としての原稿用紙Ｐを搬送する原稿搬送手段と、原稿搬送手段によって搬送される原稿用紙Ｐの原稿画像を読み取る読取手段である読取センサ５とを備えた画像読取装置３００において、原稿搬送手段として、実施例１〜５で説明した特徴部を有するシート材搬送装置を用いることにより、誤検知を防止し、原稿用紙Ｐの幅を正確に検知することができるので原稿画像を読み取る処理を行うときに用いる、原稿幅の情報として、正確な原稿幅の情報を取得することができる。
【００３４】
また、画像読取手段と、画像読取手段で読み取った原稿画像に基づいて画像を形成する画像形成手段である複写機本体２００とを備える画像形成装置としての複写機５００において、画像読取手段として、実施例１〜５で説明した特徴部を有する画像読取装置３００を備える。これによって、正確な原稿幅の情報に基づいて読み取られた原稿画像の情報に基づいて画像形成を行うことができるので、良好な複写を行うことができる。
【図面の簡単な説明】
【００３５】
【図１】複写機の概略側面図。
【図２】原稿幅検知センサが配置された、図１中のＡ−Ａ断面の説明図。
【図３】一つのフォトセンサと、それに対向する上カバーとの説明図、（ａ）は、領域Ｂに原稿用紙が存在する状態、（ｂ）は、領域Ｂに原稿用紙が存在しない状態の説明図。
【図４】実施例１の画像読取装置における図２中の領域Ｂの拡大説明図。
【図５】実施例２の特徴部の説明図、（ａ）は、図２中の領域Ｂの拡大説明図、（ｂ）は、（ａ）中のＣ−Ｃ断面の説明図。
【図６】実施例３の特徴部の説明図。
【図７】実施例４の特徴部の説明図、（ａ）は、図２中の領域Ｂの拡大説明図、（ｂ）は、（ａ）のガイド奥面１５近傍の拡大説明図。
【図８】実施例５の特徴部の説明図、（ａ）は、図２中の領域Ｂの拡大説明図、（ｂ）は、（ａ）中のＤ−Ｄ断面の説明図。
【図９】ガイドリブの内側面に黒色のシート材を貼りつけて反射を防ぐ方法の説明図。
【符号の説明】
【００３６】
１      入口ローラ
２      出口ローラ
３      原稿排紙ローラ
４      白色板
５      読取センサ
６      原稿排紙トレイ
７      原稿幅検知センサ
７ａ    フォトセンサ
８      原稿長検知センサ
９      レジストセンサ
１０    原稿載置台
１１    原稿排紙センサ
１２    ガイドリブ
１３    発光素子
１４    受光素子
１５    ガイド奥面
１６    黒色のシート材
２２    傾斜面
２３    三角リブ
２４    第一傾斜面
２５    第二傾斜面
２６    小三角リブ
２７    縦三角リブ
３１    上カバー
３２    下ガイド板
５０    スキャナ部
１００  給紙装置
２００  複写機本体
２０１  作像部
２０２  定着部
２０３  排紙部
２０４  ＬＥＤ書込装置
２０５  感光体
２０６  現像部
２０７  転写部
２０８  レジストローラ
３００  画像読取装置
５００  複写機
Ｈ      検知可能領域
Ｐ      原稿用紙
【図１】
2009263126.tif 000003
【図２】
2009263126.tif 000004
【図３】
2009263126.tif 000005
【図４】
2009263126.tif 000006
【図５】
2009263126.tif 000007
【図６】
2009263126.tif 000008
【図７】
2009263126.tif 000009
【図８】
2009263126.tif 000010
【図９】
2009263126.tif 000011